(57)【特許請求の範囲】
【請求項１】
支柱にブラケットを取付け、同ブラケットへビームパイプを取り付けるボルト接合を、ビームパイプの中空部内へ挿入したナット保持部材が保持したナットにより行う防護柵であって、
前記ナット保持部材は、ビームパイプの管軸に対して直交する各方向への移動が制限される形状とされ、ナットを回り止め状態に保持するナット嵌め込み部を備えており、前記ナット保持部材は、前記ビームパイプの端部からビームパイプの中空部内の支柱該当位置へ挿入用治具により挿入され、ビームパイプのボルト孔とナットが合致する位置に位置決めされ、支柱へ取り付けたブラケットのボルト孔とビームパイプのボルト孔とを一致させ、前記二つのボルト孔を通じて挿入したボルトを、前記ナット保持部材が保持したナットへねじ込み接合されていることを特徴とする、防護柵。
【請求項２】
挿入用治具は、その先端にナット保持部材を連結する連結部が設けられ、ビームパイプの支柱該当位置に設けられたボルト孔に到達する長さ位置に、挿入ストッパが取り付けられていることを特徴とする、請求項１に記載した防護柵。
【請求項３】
ナット保持部材と挿入用治具とは着脱可能に連結される構成であり、
ナット保持部材の挿入方向の後端面と挿入用治具の連結部の先端面には、互いに一方向の回転によってのみ掛け合う構造の掛け留め部と掛け受け部とが一対する配置に設けられて着脱可能な構成とされていることを特徴とする、請求項１又は２に記載した防護柵。
【請求項４】
ナット保持部材の後端面の中心部と挿入用治具の先端部の中心部には、嵌め込み可能なピン部とピン孔部が一対する配置に形成されていることを特徴とする、請求項１〜３のいずれか一に記載した防護柵。
【請求項５】
ナット保持部材は、ビームパイプの長手方向及び回転方向に対する移動を止める位置決め手段を備えることを特徴とする、請求項１〜４のいずれか一に記載した防護柵。
【請求項６】
ビームパイプの長手方向及び回転方向に対する移動を止める位置決め手段は、ナット保持部材に保持されたナットを、ビームパイプのボルト孔と一致させるためにビームパイプに設けられた位置決め孔へ嵌り込むことが可能なバネ式の位置決めストッパであり、
前記位置決めストッパは、前記ナット保持部材の外周面に備わることを特徴とする、請求項１〜５のいずれか一に記載した防護柵。
【請求項７】
ナット保持部材のナット嵌め込み部は、ナットの外径よりも若干大きく、且つナットの底面が同ナット保持部材の中心まで嵌め込める深さに形成され、当該ナット嵌め込み部へ嵌め込まれたナットは、当該ナット嵌め込み部の中で回らない程度に緩く保持されていることを特徴とする、請求項１〜６のいずれか一に記載した防護柵。
【請求項８】
ナット保持部材のナット嵌め込み部の底面部には、ナットをがたつかせるリブが設けられていることを特徴とする、請求項１〜７のいずれか一に記載した防護柵。
【請求項９】
ナット保持部材のナット嵌め込み部は、ナットの抜け外れを防止する係止部を備えることを特徴とする、請求項１〜８のいずれか一に記載した防護柵。
【請求項１０】
管材の内部でナットを保持するナット保持部材であって、
前記ナット保持部材は、前記管材の管軸に対して直交する各方向への移動が制限される形状とされ、ナットを回り止め状態に保持するナット嵌め込み部を備えており、前記管材の中空部内へ挿入用治具により挿入され、管材のボルト孔と前記ナットが合致する位置に位置決めされることを特徴とする、ナット保持部材。
【請求項１１】
ナット保持部材と挿入用治具とは着脱可能に連結される構成であり、
ナット保持部材の挿入方向の後端面と挿入用治具の連結部の先端面には、互いに一方向の回転によってのみ掛け合う構造の掛け留め部と掛け受け部とが一対する配置に設けられて着脱可能な構成とされていることを特徴とする、請求項１０に記載したナット保持部材。
【請求項１２】
前記ナット保持部材の後端面の中心部と挿入用治具の先端部の中心部には、嵌め込み可能なピン部とピン孔部が一対する配置に形成されていることを特徴とする、請求項１０又は１１に記載したナット保持部材。
【請求項１３】
ナット保持部材は、管材の長手方向及び回転方向に対する移動を止める位置決め手段を備えることを特徴とする、請求項１０〜１２のいずれか一に記載したナット保持部材。
【請求項１４】
管材の長手方向及び回転方向に対する移動を止める位置決め手段は、ナット保持部材に保持されたナットを、管材のボルト孔と一致させるために管材に設けられた位置決め孔へ嵌り込むことが可能なバネ式の位置決めストッパであり、
前記位置決めストッパは、前記ナット保持部材の外周面に備わることを特徴とする、請求項１０〜１３のいずれか一に記載したナット保持部材。
【請求項１５】
ナット保持部材のナット嵌め込み部は、ナットの外径よりも若干大きく、且つナットの底面が同ナット保持部材の中心まで嵌め込める深さに形成され、当該ナット嵌め込み部へ嵌め込まれたナットは、当該ナット嵌め込み部の中で回らない程度に緩く保持されていることを特徴とする、請求項１０〜１４のいずれか一に記載したナット保持部材。
【請求項１６】
ナット嵌め込み部の底面部には、ナットをがたつかせるリブが設けられていることを特徴とする、請求項１０〜１５のいずれか一に記載したナット保持部材。
【請求項１７】
ナット保持部材のナット嵌め込み部は、ナットの抜け外れを防止する係止部を備えることを特徴とする請求項１０〜１６のいずれか一に記載したナット保持部材。
【請求項１８】
中間支柱にブラケットを取付け、同ブラケットへビームパイプの中間部位を取り付けるボルト接合を、ビームパイプの中空部内の支柱該当位置へ挿入したナット保持部材が保持したナットを利用して行う防護柵の構築方法であって、
ナット保持部材を挿入用治具の先端部へ着脱可能に連結し、同ナット保持部材を連結した挿入用治具をビームパイプの端部から挿入して中間部位のボルト孔とナット保持部材に保持されたナットとを合致させる位置決め段階と、
ビームパイプの中間部位に位置決めしたナット保持部材と前記挿入用治具とを切り離す段階と、
中間支柱へ取り付けたブラケットのボルト孔とビームパイプの中間部位のボルト孔とを一致させ、前記二つのボルト孔を通じて挿入したボルトを、前記ナット保持部材が保持したナットへねじ込み接合することを特徴とする、防護柵の構築方法。
【請求項１９】
ナット保持部材と挿入用治具とは、前記ナット保持部材の挿入方向の後端面の中心部に設けた円弧形状の羽部と、挿入用治具の連結部の先端面に設けた、前記羽部を一方向の回転によってのみ嵌め入れを許容する掛け留め部とを、前記一方向からの回転により両者を着脱可能に連結しており、
前記ナット保持部材の後端面の中心部と挿入用治具の先端部の中心部には、嵌め込み可能なピン部とピン孔部とを一対の配置に形成して、ナット保持部材の挿入時にその後端面の中心に挿入力を集中させることを特徴とする、請求項１８に記載した防護柵の構築方法。
【請求項２０】
ナット保持部材の外周面に設けたバネ式の位置決めストッパを、ビームパイプに設けた位置決め孔へ嵌め込み、ビームパイプのボルト孔とナット保持部材に保持させたナットの位置を合致させることを特徴とする、請求項１８又は１９に記載した防護柵の構築方法。
【発明の詳細な説明】
【技術分野】
【０００１】
この発明は、ビームパイプによる防護柵及びその構築方法並びに防護柵に用いるナット保持部材の技術分野に属し、更に云うと、ビームパイプの長さ方向の中間部に位置する中間支柱のブラケットへビームパイプの中間部位を取り付けるボルト接合を、ビームパイプの中空部内の支柱該当位置へ挿入したナット保持部材が保持したナットを利用して行った、意匠性と景観性、更には安全性が高い防護柵及びその構築方法並びに防護柵に用いるナット保持部材に関する。
【背景技術】
【０００２】
従来、支柱に取付けたブラケットへ前記ビームパイプをボルト接合により取り付けて成る防護柵及びその構築方法が広く実用に供されている。
上記ビームパイプによる防護柵は、前記ビームパイプが人の手を差し入れることができない程に小径で、ビームパイプの中空部内でボルト接合用のナットを保持することが困難ないし不可能なので、ナット保持部材を使用する技術が提案されている。
【０００３】
例えば、下記の特許文献１に開示された道路用防護柵は、支柱に支持されたジョイントパイプとビームパイプをボルト接合するにあたり、平プレートにナットを固着し、更に前記平プレートに吸盤を取り付けてナット保持部材を構成し、このナット保持部材をジョイントパイプの内部へ挿入し、吸盤を吸着させて平プレートおよびナットの位置を決めボルト接合を可能にする構成が開示されている。
しかし、上記ナット保持部材は、横断面が円形のビームパイプであると、吸着面が円弧状となり、連結具の吸盤を所望位置へきっちり吸着させることが難しい。また、一般的にビームパイプの内面は研磨していない粗面であることが多く、吸着板を吸着させることはそもそも困難である。
【０００４】
また、下記の特許文献２に開示された道路用防護柵は、支柱に支持されたジョイントパイプとビームパイプをボルト接合するにあたり、断面が溝形状の保持材の溝中にナットをカシメて固定したナット保持部材をジョイントパイプの内部へ挿入し、前記ナットとボルト孔の位置を合致させた上で、ナット保持部材をリベット止め、或いはタッピングビス止め等の手段でジョイントパイプへ位置決めしてボルト接合する構成が開示されている。
【０００５】
しかし、溝形状の保持材の溝中へナットを固定するためには、カシメ加工が必要で、加工に手間がかかるのでコストが嵩む。また、前記ナット保持部材をジョイントパイプの内部へ挿入し、そのナットとボルト孔の位置を合致させた上で、リベット止め、或いはタッピングビス止め等の手段でナット保持部材を位置決め固定する作業に技術的な熟練と多くの加工手間並びに工費を必要とする。
【先行技術文献】
【特許文献】
【０００６】
【特許文献１】実開昭５５−４８９０９号公報
【特許文献２】実開平２−６７１７号公報
【発明の概要】
【発明が解決しようとする課題】
【０００７】
上記した特許文献１及び２には、防護柵を構成するビームパイプの中空部が人の手を差し入れられない程小径であったり、或いはビームパイプの中空部内へボルト接合のためのナットを差し入れて保持させることが困難ないし不可能な場合のボルト接合に対処する手段として、それぞれのボルト接合の条件に応じた解決策が提案されている。
しかし、各先行技術に共通して見られる問題点は、ナット保持部材をビームパイプの中空部内へ挿入し、そのナットの位置をボルト孔と合致させ、安定状態に位置決め保持する手段に難渋するもので、作業効率が悪く、施工精度にバラツキを生じる点が指摘されている。
とりわけ、ビームパイプの長さ（通例４ｍ位）の中間部に位置する中間支柱のブラケットとビームパイプとのボルト接合に供するナット保持部材の位置決めに関する難度が高く、その解決策が要望されている。
したがって、中間支柱のブラケットへビームパイプの中間部位をボルト接合するのに有効なナット保持部材を使用した防護柵の構築が重要とされている。しかし、未だ上記課題点を解決する有効な技術は見聞きしないし開示もない。
【０００８】
本発明の目的は、上記の課題点を解決することであり、中間支柱のブラケットへビームパイプの中間部位をボルト接合することに効果的なナット保持部材を使用して、しかも、同ナット保持部材を適切にビームパイプの中空部内へ位置決めする手段を採用して構築した防護柵及び構築方法並びに防護柵に用いるナット保持部材を提供することにある。
本発明の次の目的は、ビームパイプの上面側に通行人が当たって衣服や鞄を引掛けやすいボルト頭等の突起物を生じさせない構成とし、更に車道の外側又は車道型から見ても、ボルト頭やナット、或いはボルト軸部などの露出が極力少なく、視界に入りにくく、意匠性、景観性に優れ、ナットの出っ張りのない安全な防護柵及び構築方法並びに防護柵に用いるナット保持部材を提供することにある。
【課題を解決するための手段】
【０００９】
上記課題を解決するための手段として、請求項１に記載した発明に係る防護柵は、
支柱にブラケットを取付け、同ブラケットへビームパイプを取り付けるボルト接合を、ビームパイプの中空部内へ挿入したナット保持部材が保持したナットにより行う防護柵であって、
前記ナット保持部材は、ビームパイプの管軸に対して直交する各方向への移動が制限される形状とされ、ナットを回り止め状態に保持するナット嵌め込み部を備えており、前記ナット保持部材は、前記ビームパイプの端部からビームパイプの中空部内の支柱該当位置へ挿入用治具により挿入され、ビームパイプのボルト孔とナットが合致する位置に位置決めされ、支柱へ取り付けたブラケットのボルト孔とビームパイプのボルト孔とを一致させ、前記二つのボルト孔を通じて挿入したボルトを、前記ナット保持部材が保持したナットへねじ込み接合されていることを特徴とする。
【００１０】
請求項２記載の発明は、請求項１記載の防護柵において、
挿入用治具は、その先端にナット保持部材を連結する連結部が設けられ、ビームパイプの支柱該当位置に設けられたボルト孔に到達する長さ位置に、挿入ストッパが取り付けられていることを特徴とする。
【００１１】
請求項３記載の発明は、請求項１又は２に記載した防護柵おいて
ナット保持部材と挿入用治具とは着脱可能に連結される構成であり、
ナット保持部材の挿入方向の後端面と挿入用治具の連結部の先端面には、互いに一方向の回転によってのみ掛け合う構造の掛け留め部と掛け受け部とが一対する配置に設けられて着脱可能な構成とされていることを特徴とする。
【００１２】
請求項４記載の発明は、請求項１〜３のいずれか一に記載した防護柵において、
ナット保持部材の後端面の中心部と挿入用治具の先端部の中心部には、嵌め込み可能なピン部とピン孔部が一対する配置に形成されていることを特徴とする。
【００１３】
請求項５記載の発明は、請求項１〜４のいずれか一に記載した防護柵において、
ナット保持部材は、ビームパイプの長手方向及び回転方向に対する移動を止める位置決め手段を備えることを特徴とする。
請求項６記載の発明は、請求項１〜５のいずれか一に記載した防護柵において、
ビームパイプの長手方向及び回転方向に対する移動を止める位置決め手段は、ナット保持部材に保持されたナットを、ビームパイプのボルト孔と一致させるためにビームパイプに設けられた位置決め孔へ嵌り込むことが可能なバネ式の位置決めストッパであり、
前記位置決めストッパは、前記ナット保持部材の外周面に備わることを特徴とする。
【００１４】
請求項７記載の発明は、請求項１〜６のいずれか一に記載した防護柵において、
ナット保持部材のナット嵌め込み部は、ナットの外径よりも若干大きく、且つナットの底面が同ナット保持部材の中心まで嵌め込める深さに形成され、当該ナット嵌め込み部へ嵌め込まれたナットは、当該ナット嵌め込み部の中で回らない程度に緩く保持されていることを特徴とする。
請求項８記載の発明は、請求項１〜７のいずれか一に記載した防護柵において、
ナット保持部材のナット嵌め込み部の底面部には、ナットをがたつかせるリブが設けられていることを特徴とする。
【００１５】
請求項９記載の発明は、請求項１〜８のいずれか一に記載した防護柵において、
ナット保持部材のナット嵌め込み部は、ナットの抜け外れを防止する係止部を備えることを特徴とする。
【００１６】
請求項１０に記載した発明に係るナット保持部材は、
管材の内部でナットを保持するナット保持部材であって、
前記ナット保持部材は、前記管材の管軸に対して直交する各方向への移動が制限される形状とされ、ナットを回り止め状態に保持するナット嵌め込み部を備えており、前記管材の中空部内へ挿入用治具により挿入され、管材のボルト孔と前記ナットが合致する位置に位置決めされることを特徴とする。
請求項１１記載の発明は、請求項１０に記載したナット保持部材において、
ナット保持部材と挿入用治具とは着脱可能に連結される構成であり、
ナット保持部材の挿入方向の後端面と挿入用治具の連結部の先端面には、互いに一方向の回転によってのみ掛け合う構造の掛け留め部と掛け受け部とが一対する配置に設けられて着脱可能な構成とされていることを特徴とする。
【００１７】
請求項１２記載の発明は、請求項１０又は１１に記載したナット保持部材において、
前記ナット保持部材の後端面の中心部と挿入用治具の先端部の中心部には、嵌め込み可能なピン部とピン孔部が一対する配置に形成されていることを特徴とする。
【００１８】
請求項１３記載の発明は、請求項１０〜１２のいずれか一に記載したナット保持部材において、
ナット保持部材は、管材の長手方向及び回転方向に対する移動を止める位置決め手段を備えることを特徴とする。
【００１９】
請求項１４記載の発明は、請求項１０〜１３のいずれか一に記載したナット保持部材において、
管材の長手方向及び回転方向に対する移動を止める位置決め手段は、ナット保持部材に保持されたナットを、管材のボルト孔と一致させるために管材に設けられた位置決め孔へ嵌り込むことが可能なバネ式の位置決めストッパであり、
前記位置決めストッパは、前記ナット保持部材の外周面に備わることを特徴とする。
【００２０】
請求項１５記載の発明は、請求項１０〜１４のいずれか一に記載したナット保持部材において、
ナット保持部材のナット嵌め込み部は、ナットの外径よりも若干大きく、且つナットの底面が同ナット保持部材の中心まで嵌め込める深さに形成され、当該ナット嵌め込み部へ嵌め込まれたナットは、当該ナット嵌め込み部の中で回らない程度に緩く保持されていることを特徴とする。
【００２１】
請求項１６記載の発明は、請求項１０〜１５のいずれか一に記載したナット保持部材において、
ナット嵌め込み部の底面部には、ナットをがたつかせるリブが設けられていることを特徴とする。
請求項１７記載の発明は、請求項１０〜１６のいずれか一に記載したナット保持部材において、
ナット保持部材のナット嵌め込み部は、ナットの抜け外れを防止する係止部を備えることを特徴とする。
【００２２】
請求項１８に記載した発明に係る防護柵の構築方法は、
中間支柱にブラケットを取付け、同ブラケットへビームパイプの中間部位を取り付けるボルト接合を、ビームパイプの中空部内の支柱該当位置へ挿入したナット保持部材が保持したナットを利用して行う防護柵の構築方法であって、
ナット保持部材を挿入用治具の先端部へ着脱可能に連結し、同ナット保持部材を連結した挿入用治具をビームパイプの端部から挿入して中間部位のボルト孔とナット保持部材に保持されたナットとを合致させる位置決め段階と、
ビームパイプの中間部位に位置決めしたナット保持部材と前記挿入用治具とを切り離す段階と、
中間支柱へ取り付けたブラケットのボルト孔とビームパイプの中間部位のボルト孔とを一致させ、前記二つのボルト孔を通じて挿入したボルトを、前記ナット保持部材が保持したナットへねじ込み接合することを特徴とする。
【００２３】
請求項１９記載の発明は、請求項１８に記載した防護柵の構築方法において、
ナット保持部材と挿入用治具とは、前記ナット保持部材の挿入方向の後端面の中心部に設けた円弧形状の羽部と、挿入用治具の連結部の先端面に設けた、前記羽部を一方向の回転によってのみ嵌め入れを許容する掛け留め部とを、前記一方向からの回転により両者を着脱可能に連結しており、
前記ナット保持部材の後端面の中心部と挿入用治具の先端部の中心部には、嵌め込み可能なピン部とピン孔部とを一対の配置に形成して、ナット保持部材の挿入時にその後端面の中心に挿入力を集中させることを特徴とする。
【００２４】
請求項２０記載の発明は、請求項１８又は１９に記載した防護柵の構築方法において、
ナット保持部材の外周面に設けたバネ式の位置決めストッパを、ビームパイプに設けた位置決め孔へ嵌め込み、ビームパイプのボルト孔とナット保持部材に保持させたナットの位置を合致させることを特徴とする。
【発明の効果】
【００２５】
請求項１〜２０に記載した発明は、以下の効果を奏する。
ビームパイプのボルト孔と一致させるナットを保持するナット嵌め込み部と、当該ナットの抜け外れを防止する係止部を備えて成るナット保持部材を、前記ビームパイプの端部から挿入し、同ビームパイプの中間部位のボルト孔とナットが合致する位置に位置決めさせ、前記中間支柱へ予め取り付けたブラケットのボルト孔とビームパイプの中間部位のボルト孔とを一致させ、前記二つのボルト孔を通じて挿入したボルトを、前記ナット保持部材が保持したナットへねじ込んで接合する構成としたので、ビームパイプの中間部位を中間支柱に取り付けるボルト接合を、ナット保持部材を使用して効果的に行うことができる。
また、ナット保持部材は挿入用治具により挿入するので、ビームパイプの中空部内へ容易に挿入し位置決めできる。
【００２６】
前記ナット保持部材は、ビームパイプの長手方向及び回転方向に対する移動を止める位置決め手段として、ナット保持部材に保持されたナットを、ビームパイプのボルト孔と一致させるためにビームパイプに設けられた位置決め孔へ嵌り込むことが可能なバネ式の位置決めストッパを、前記ナット保持部材の外周面に備えており、更に挿入用治具には、ビームパイプの中間位置に設けられたボルト孔に到達する長さ位置に、挿入ストッパを取り付けているので、挿入用治具を挿入ストッパに当たるまで挿入し操作するだけで、ビームパイプの中間位置に予め設けられている位置決め孔へナット保持部材の位置決めストッパを嵌め込めるので、ビームパイプのボルト孔に対する各ナットの位置を一致させること、および位置の保持が簡単に確実に行え、ボルト接合を手際良く（又は効率良く）的確に行える。
【００２７】
前記ナット保持部材を挿入用治具でビームパイプの中空部内へ挿入する手段として、ナット保持部材の挿入方向の後端面と挿入用治具の連結部の先端面には、互いに一方向の回転によってのみ掛け合う構造の掛け留め部と掛け受け部とが一対する配置に設けられて着脱可能な構成としている。したがって、ナット保持部材をビームパイプの中空部内へ挿入する際には、ナット保持部材と挿入用治具とに一対に設けた掛け留め部と掛け受け部とを例えば右方向に回転させることで両者を容易に掛け留めることができ、その連結状態のままビームパイプの中間位置へ挿入できる。そして、ナット保持部材の掛け留めと同一方向（右回転）に挿入用治具を回転操作させてナット保持部材を回転させ、上記ナット保持部材の位置決めストッパをビームパイプの位置決め孔へ嵌め入れることができる。また、前記ナット保持部材の位置決めが完了した後、挿入用治具をナット保持部材に掛け留めたときと反対方向に回転（左方向）させるだけで、挿入用治具とナット保持部材とを容易に切り離すことができる。
更に、前記ナット保持部材の後端面部の中心部と挿入用治具の先端部の中心部には、ナット保持部材と挿入用治具の中心軸が一致するように、嵌め込み可能なピン部とピン孔部が一対する配置に形成されているので、ナット保持部材がビームパイプの中空部内をがたつくことなくスムーズに支柱該当位置へ移動できる。
【００２８】
前記ナット保持部材のナット嵌め込み部は、ナットの外径よりも若干大きく、ナットの底面が同ナット保持部材の略中央位置まで嵌め込める深さに形成されて、ボルトの差し入れ角度を充分に有していること、更に当該ナット嵌め込み部へ嵌め込まれたナットは、当該ナット嵌め込み部の中で回らない程度に緩く保持されているから、ボルト接合時に差し入れた接合ボルトとナットの芯合わせとボルト締め作業をボルトの操作のみで自在に行えるので、ネジ接合当初の位置合わせ（ネジ始端の探索ないし整合）も含めて的確に迅速に行うことができ、作業能率の良いボルト接合作業を行うことができる。更には、ナット嵌め込み部の底面部には、ナットをがたつかせるリブを設けて、所謂ナットのあそびを作り出し接合ボルトとナットの芯合わせとボルト締め作業の効率化を飛躍的に向上できる。
【００２９】
また、ナット保持部材に設けられたナット嵌め込み部には、ナットを横向きにスライドして嵌め込み可能に一側を切り欠いた挿入部が形成されているので、非常にスムーズなナットの嵌め入れ作業が可能となるのみならず、スライドして嵌め入れるのでナットを落下させてしまう等の作業ミスを防止できる。のみならず、ナット保持部材の成形部材の使用材料量を大幅に節約して軽量化を図る肉盗み効果を期待できる。
【００３０】
また、ビームパイプとブラケットとのボルト接合も、ビームパイプを支柱に取付けられたブラケットのパイプ受け部へ当てがい、やはり同パイプ受け部のボルト孔とビームパイプのボルト孔とを合致させるだけの位置決め操作のみで、同パイプ受け部の背面側からボルト孔へボルトを差し入れ、ナット保持部材の対応するナットへねじ込み結合して実施できる。
つまり、前記ナット保持部材が、ビームパイプとブラケットとのボルト接合に必要な個数のナットを、ビームパイプ及びブラケットが備えるボルト孔と一致する配置に、言わば３次元方向に任意所望の向きに保持させるので、上記のボルト接合を率良く確実ならしめるのである。
【００３１】
ブラケットとビームパイプとを夫々接合したボルトが、その頭頂部が平らに形成されており、両ボルトには車道の外寄り下面側から上向きにねじ込まれているので、歩道の外側から見ても、車道側から見ても、ボルトの頭やナット、目地部の露出が極力少なくなって、視界に入りにくく、見た目の意匠性、及び景観性に優れる。のみならず、ビームパイプの上面側に通行人が当たって負傷しやすい突起物を可及的に排除した構成であるので、ビームパイプに捕まり伝い歩きをした人や、ビームパイプに接触した人の衣服や鞄を引掛ける心配が無く安全性の高い道路用防護柵を実現できる。
【図面の簡単な説明】
【００３２】
【図１】本発明が実施される中間支柱にビームパイプの中間部位が取り付けて成る防護柵を示した立面図である。
【図２】本発明の防護柵を一部破断して示した底面図である。
【図３】上記防護柵の上部を示した平面図である。
【図４】図３に示した防護柵の正面図である。
【図５】図４に示した防護柵の側面図である。
【図６】図５に示した側面図の拡大図である。
【図７】ナット保持部材の一例を示した平面図である。
【図８】ナット保持部材の断面図である。
【図９】ナット保持部材の後方斜視図である。
【図１０】挿入用治具の全体を示す図である。
【図１１】挿入用治具の先端に設けられた連結部の構成を示す拡大図である。
【図１２】Ａ、Ｂはナット保持部材と挿入用治具との連結の要領を示す参考図である。
【図１３】Ａは挿入用治具に連結されたナット保持部材をビームパイプへ挿入する段階を示す正面図である。Ｂはビームパイプのボルト孔及び位置決め孔とナット保持部材のナット及びストッパとが合致した状態を示した正面図である。ＣはＢの側面図である。
【発明を実施するための形態】
【００３３】
本発明は、支柱１にブラケット２を取付け、同ブラケット２へビームパイプ３を取り付けるボルト接合を、ビームパイプ３へ挿入したナット保持部材４が保持したナット５を利用して行って成る防護柵である。
前記ナット保持部材４は、ビームパイプの管軸に対して直交する各方向への移動が制限される形状とされ、前記ビームパイプ３のボルト孔３ａと一致する位置にナット５を回り止め状態に保持するナット嵌め込み部４３と、当該ナットの抜け外れを防止する係止部４４を備えている。
前記ナット保持部材４は、前記ビームパイプ３の端部から挿入してボルト孔３ａとナット５が合致する位置に位置決めされ、中間支柱１のブラケット２のボルト孔とビームパイプ３のボルト孔３ａとを一致させる。
【００３４】
次に、支柱１に車道の外側から車道側に向けて水平方向に貫通させたボルトの他端へナットを締結してブラケット２が取り付けられ、
ナット保持部材４が位置決めされた状態のビームパイプ３が、前記ブラケット２のナット締結部位から車道側へ突き出されたパイプ受け部２ａに当てがわれ、当該パイプ受け部２ａに設けられたボルト孔と当該ビームパイプ３のボルト孔３ａとを合致させ、前記二つのボルト孔を通じて挿入したボルト９を、前記ナット保持部材４が保持したナット５へねじ込み接合して防護柵を構築する。
【実施例１】
【００３５】
以下に、本発明を図示した実施例に基づいて説明する。
図１〜図６は、支柱１にブラケット２を取付け、同ブラケット２へビームパイプ３を取り付けるボルト接合を、例えば図７に示すナット保持部材４に保持したナット５を利用して構築した防護柵の実施例を示している。
本発明は特に、ビームパイプの長さの中間部に位置する中間支柱１（以下、単に支柱１と云う）にブラケット２を取付け、同ブラケット２へビームパイプ３の中間部位を取り付けるボルト接合に好適に実施される。
【００３６】
先ず、防護柵のビームパイプ３の各ボルト接合に使用するナット保持部材４の構成について説明する。とはいえ、下記するナット保持部材４はビームパイプ３に限らず管材であれば挿入可能な形状と構成とされている。以下に具体的に説明する。
ナット保持部材４は、図７に示すように、その外周面の形状が、ビームパイプ３の中空部の直径よりも小径で管形状に形成されている。そして、ビームパイプ３の長手方向及び回転方向に対する移動を止める位置決め手段が備えられている。つまり、ビームパイプ３のボルト孔３ａと一致させるためにビームパイプ３に設けられた位置決め孔３ｂへ嵌り込むことが可能なバネ式で突出する位置決めストッパ４１である（図１３参照）。この位置決めストッパ４１は円筒形状の突出材であり、通常はナット保持部材４の外径から突出され、押し込むとナット保持部材４の外径内に収めることが可能な弾性を発揮するバネ材４２に設けられている。したがって、後述するが、ナット保持部材４をビームパイプ３の中空部内へ挿入する際には、前記位置決めストッパ４１を押し込んでナット保持部材４の外径内に収めた状態で、ビームパイプ３中空部内へ挿入し、同ビームパイプ３の位置決め孔３ｂに到達すると位置決めストッパ４１の弾性性能が発揮されて自動的に、同位置決め孔３ｂ内を突出して位置決めされると共に、ビームパイプ３の長手方向及び回転方向に対する移動を止めることができる。ナット保持部材４を上記の構成とすることで、閉鎖空間であるビームパイプ３の中空部内に、いわゆる３次元の向きにナット５を保持でき、かつ通常のナット保持部材では作業が困難な閉鎖空間への仮止め作業が非常に容易に可能となる。
上記ナット保持部材４の位置決め手段を得るための外周面の形状はこの限りではなく、以下に説明する構成が好適に実施される。
【００３７】
このナット保持部材４の外周面には、前記ビームパイプ３のボルト孔３ａ（図１３参照）と一致する配置で、ナット５が回り止め状態に嵌め込まれるナット嵌め込み部４３が設けられている。前記ナット嵌め込み部４３には、嵌め込まれたナット５が抜け外れないように保持する係止部４４を備えている。要するに、このナット保持部材４は、その管軸方向と周方向に、ビームパイプ３に予め設けられたボルト孔３ａの配置と対応する配置でナット５を保持できる長さと外径の成形部材４０を主体として構成されている。
【００３８】
ナット保持部材４の主体である成形部材４０の外周面は、図示した実施例の場合、ビームパイプ３の内径がφ４３．８ｍｍであるのに対し、上記したように同ビームパイプ３の管軸に対し直交する各方向への移動が制限される形状とされている。ビームパイプの内周面へ接触した形状を示しているが、後述する位置決め手段の機能を害さない程度のガタを有する形状であっても良い。
本実施例の成形部材４０は、大量生産に適して安価に軽く製造でき、取り扱いが容易であるように、熱硬化性又は熱可塑性の合成樹脂、例えばフェノール樹脂やエポキシ樹脂、メラミン樹脂、不飽和ポリエステル樹脂、ポリウレタン樹脂等々を使用して成形することができる。また、低・中発泡ないし高発泡のポリスチレン樹脂やポリプロピレン樹脂等で成形して実施することも好適である。非発泡の合成樹脂製として実施することもできるし、木製や金属製として製作し実施することもできる。
【００３９】
上記成形部材４０には、上述したように上記ビームパイプ３に設けられたボルト孔３ａの配置に合致する配置で、ナット５を回り止め状態に嵌め込むナット嵌め込み部４３が設けられている。
具体的には図７〜図９に示したとおり、成形部材４０には、ナット５の嵌め込み位置に、ナット嵌め込み部４３が、同成形部材４０の中心線と直交する方向に貫通する形態で設けられている（図８参照）。このナット嵌め込み部４３は、嵌め込んだナット５がボルト接合の作業時に共回りしない程度に固定する形状、大きさに成形されている。
【００４０】
このナット嵌め込み部４３を貫通形態に設けた理由は、成形部材４０の使用材料量を減量化し、軽量化する肉盗みにより、製造原価を引き下げるためである。ナット嵌め込み部４３は、図示した六角形のナット５を楽に挿入でき、かつ同ナット５を接合するボルトの先端で多少ぐらつかせられる余裕をもつ大きさの六角形状として、以下の構成に設けられている。また、使用するナットが六角形以外の多角形状であれば、ナット嵌め込み部の形状も同様の形状に対応した形状とする。
【００４１】
ナット嵌め込み部４３の深さは、ナット５の底面が同ナット保持部材４の中心位置Ｌまで嵌め込める深さＨとされ（図８参照）、且つナット嵌め込み部４３の底面部の端部には、ナット５の底面を座らせる段部４５が形成されている。ナット嵌め込み部４３へ嵌め入れたナット５は、その底面を前記段部４５へ座らせて回り止め状態に落ち着かせる構成とされている。したがって、前記段部４５より以深のナット嵌め込み部４３の貫通形状と大きさは、ナット５へねじ込まれるボルトの先端部が、ナット嵌め込み部の内部と当たることの無いように、また、成形部材４０の使用材料量の減量化と軽量化の目的を達する肉盗みの必要の形態に形成する。また、前記段部４５の上面には、ナット５をがたつかせるリブ４６、４６が設けられている。図示例では六角形の対峙する辺の２カ所に設けられているがそれ以上でも良い。上記のように前記ナット嵌め込み部４３を、ナット５がナット保持部材４の中心位置Ｌの位置まで嵌め込めるようにしたこと、更にリブ４６により底部に収まるナット５をがたつかせてあそびを形成したことで、ボルト接合時に差し入れた接合ボルトとナット５の芯合わせとボルト締め作業をボルトの操作のみで自在に行えるので、ネジ接合当初の位置合わせ（ネジ始端の探索ないし整合）も含めて的確に迅速に行うことができ、作業能率の良いボルト接合作業を行うことができる。
【００４２】
上記のようにナット嵌め込み部４３内へ挿入されたナット５が不用意に浮上して抜け外れる不都合を防ぐため、ナット保持部材４には、ナット５の上面を押さえる係止部４４が、次のように設けられている。
図８、図９では、ナット嵌め込み部４３の入口から少し下がった部分に、六角形の一つの辺の中央部位に、成形部材４０の構成材料を弾性変形可能な形状に成形した構成で設けられている。つまり、ナット５は、ナット嵌め込み部４３の弾性変形可能な形状の係止部４４を押しのけてナット嵌め込み部４３の中へ挿入されると、直ちに係止部４４が働いて止め、ナット５が不用意に浮上したり抜け外れることを防止する。しかし、この係止部４４を少し押しのけることにより、用済みのナット５は簡単に抜き外して回収できる。
【００４３】
ナット５は、ナット５の底面がナット保持部材４の中心位置Ｌまで嵌め込める深さＨの位置に嵌め込まれ、係止部４４により係止されているが、このナット５にボルト９をねじ込むことにより、ナット５がボルト９側へ寄っていく。すると、ボルト９側へ寄っていくナット５の力が係止部４４に働いて、係止部４４がナット５の外側へ開いて外れる。続いてボルト９のねじ込みを続けることで、ナット５はそのままボルト９側へ寄っていきビームパイプ３に当接してボルト９とナット５が締結する。
【００４４】
上記構成のナット保持部材４は、挿入用治具６と連結されてビームパイプ３の中空部内の中間位置へ挿入される。以下、その連結手段及び挿入方法について説明する。
ナット保持部材４と挿入用治具６には、互いに一方向の回転によってのみ掛け合う構造の掛け留め部４７ａと掛け受け部６１とが一対する配置に設けられて着脱可能な構成とされている。図示例では、前記掛け留め部４７ａをナット保持部材４の挿入方向の後端面に設け、前記掛け受け部６１を挿入用治具６の先端面に設けて実施する場合を説明する。勿論この限りではなく、両者逆の構成で実施することも好適に実施できる。
前記ナット保持部材４は、図９に示すように、前記挿入用治具６と連結するべく、ナット保持部材４の挿入方向に対して後端面４７に、円弧形状の２枚の掛け留め部４７ａ（以下、羽部４７ａ、４７ａとも云う。）がその中心軸に対して対峙する配置で設けられている。この羽部４７ａは円を１／４に切った円弧形状とされており、蝶の羽の如く対称に取り付けられている。
【００４５】
前記挿入用治具６は、図１０、図１１に示すように、ビームパイプ３の中空部内へ挿入可能な棒状部材であり、その先端にナット保持部材４を連結する連結部６０が設けられ、ビームパイプの支柱該当位置に設けられたボルト孔に到達する長さ位置に、鍔形状の挿入ストッパ６３が取り付けられた構成とされている。
前記連結部６０の先端面には、前記羽部４７ａを一方向の回転からの嵌め入れを許容する掛け受け部６１、６１が、同羽部４７ａを嵌め入れ可能な形状と位置に設けられている。つまり、図１２Ａ、図１２Ｂに示すように、ナット保持部材４の羽部４７ａへ挿入用治具６の掛け受け部６１を右回転させて掛け留め、左回転させることで容易に掛け外すことができる着脱可能な連結構造である。一般的にはシーリングライトの接続に用いられる連結機構である。
図示した羽形状の掛け留め部４７ａ及び羽部４７ａを受ける掛け受け部６１の形状は、上記の限りではなく、互いに掛け留め合う形状であれば実施することができる。
【００４６】
また、両部材の回転による着脱を容易にすること、更にはナット保持部材４をビームパイプ３内をスムーズに移動させるために、前記ナット保持部材４の後端面４７の中心部と挿入用治具６の中心部には、ナット保持部材４と挿入用治具６の回転軸が一致してぶれないように、嵌め込み可能なピン部とピン受け部が一対する関係で取り付けられている。図示例では、ナット保持部材４には凸形状のピン部４８を設け、挿入用治具６には凹み形状のピン受け部６２を設けた場合を示したが、勿論、この限りではなく両者逆の構成で実施してもよい。
【００４７】
上記のように挿入用治具６に連結されたナット保持部材４は、図１３Ａに示すように、ビームパイプ３の中空部内へ挿入する。この際、ナット保持部材４の位置決めストッパ４１を押し込んで同ナット保持部材４の外径内に収めて挿入する。挿入用治具６の挿入ストッパ６３にビームパイプ３の端部が当たるまで挿入すると、丁度ビームパイプ３の中間部分まで到達している。次に、図１３Ｂに示すように、挿入用治具６をナット保持部材４が掛け外れない右方向に回転させながらビームパイプ３に設けられた位置決め孔３ｂとナット保持部材４の位置決めストッパ４１を合致させる。すると、図１３Ｃに示すように、同ストッパ４１は弾性力で位置決め孔３ｂ内で突出し、ナット保持部材４がビームパイプ３の中間部位に保持されると共に、ビームパイプ３のボルト孔３ａとナット保持部材４に保持されたナット５との位置が合致した状態に位置決めされるのである。そして、挿入用治具６を逆回転（左回転）させて掛け受け部６１からナット保持部材４の羽部４７ａを掛け外して両者を切り離す。
【００４８】
ビームパイプ３が実施例の丸形と異なる角形である場合、ナット保持部材４の外側形状は、ビームパイプ３の角形に合うような、ビームパイプの管軸に対して直交する各方向への移動が制限される形状となる。この場合、ビームパイプ３に設けられた位置決め孔３ｂと同じ面になるように、ナット保持部材４の位置決めストッパ４１の向きを合わせて、ビームパイプ３にナット保持部材４が挿入用治具６で挿入される。位置決め孔３ｂと位置決めストッパ４１は、ビームパイプ３の延長方向同軸になるように配置すると、定位置までナット保持部材４を挿入するだけで、位置決め孔３ｂ内に位置決めストッパ４１が突出して、ナット保持部材４の位置決めが完了する。
【００４９】
次に、上記のようにビームパイプ３の中間部位に位置決めされたナット保持部材４を使用して、ビームパイプ３を中間支柱１へ取り付けるボルト接合について、特に図１〜図６に基づいて説明する。
先ず、上記ボルト接合作業に先行して、予め中間支柱１の上端へブラケット２が、その上端部を車道側に向かって水平方向（直径線方向）に貫通させたボルト７とナット８と取り付けられている。
【００５０】
このボルト７の他端及び同他端へ締結したナット８は、図１、図２、図６に示すように、前記ボルト７およびナット８で支柱へ固定されたブラケット２の固定部位からその上方部を迂回して車道側へ突き出されたパイプ受け部２ａにより上面部が覆われていると共に、同ブラケット２の前記固定部位からその上方部を迂回して車道側へ突き出されたパイプ受け部２ａが形成する隙間部へ横方向から嵌め込まれた補強金具２ｂ、２ｂによりその側面部を覆われている。したがって、前記ボルト７の軸部やナット８が完全にブラケット２内へ収まり視認しにくい構成なので、意匠性や景観性に優れている。
【００５１】
また、前記ナット８は前記補強金具２ｂ、２ｂにより平行な２辺を挟まれて回り止めとされ、前記ブラケット２の固定部位の下辺を略Ｖ字形に折り返したリップ２ｃによってナット８の一辺が回り止めされる構成とされている。勿論この限りではなく、単に前記補強金具２ｂ、２ｂのみでナット８の回り止め効果をならしめる構成であってもよいし、前記略Ｖ字形に折り返したリップ２ｃのみでナット８の回り止め効果をならしめる構成で実施することができる。
【００５２】
上記のように前記中間支柱１に取り付けられたブラケット２の前面には、ビームパイプ３の外形と同じ曲率で凹面状に湾曲させたパイプ受け部２ａが設けられている。同パイプ受け部２ａに対して、上記のようにビームパイプ３の中間部分が当てがわれる。そして、同ブラケット２の前面のパイプ受け部２ａへ予め設けておいたボルト孔（図示省略）と、ビームパイプ３のボルト孔３ａとを合致させ、同パイプ受け部２ａの底面側から同二つのボルト孔へボルト９を差し入れ、ナット保持部材４の対応するナット５へねじ込み締結することにより、ビームパイプ３とブラケット２とを一体の関係で強固にボルト接合することができる。上記ボルト９は、その頭頂部が平らで頭部が薄く形成されており、車道の外寄り下面側から上向き方向にねじ込まれている（図２及び図４参照）。したがって、ビームパイプ３の上面側に通行人が当たって衣服や鞄を引掛けやすい突起物は可及的に排除される。この場合に、ナット保持部材４に保持された各ナット５は、回り止め状態に保持されており、しかも各ナット嵌め込み部４３に対して、ナット５は多少グラつく状態に保持されていること、更にナット保持部材４の中央位置の深さに保持されてボルト９の差し入れ角度が広くなっているから、ボルト孔を通じて差し入れたボルト９の先端を、ナット保持部材４の対応するナット５に対し多少芯振れする状態に操作してネジの始端を探し当て、ねじ込み操作を容易に進めることができ、能率の良いボルト接合作業を進められる。
【００５３】
以上に本発明を図示した実施例に基づいて説明したが、本発明は、上記実施例の構成に限定されない。その目的と要旨を逸脱しない範囲において、当業者が必要に応じて行う設計変更、応用のバリエーションの範囲を含むことを念のため言及する。
【符号の説明】
【００５４】
１          中間支柱
２          ブラケット
３          ビームパイプ
３ａ        ボルト孔
３ｂ        位置決め孔
４          ナット保持部材
４１        位置決めストッパ
４３        嵌め込み部
４４        係止部
４７ａ      掛け留め部
４８        ピン部
５          ナット
６          挿入用治具
６０        連結部
６１        掛け受け部
６２        ピン受け部
６３        挿入ストッパ
【図１】
0005420346.tif 000002
【図２】
0005420346.tif 000003
【図３】
0005420346.tif 000004
【図４】
0005420346.tif 000005
【図５】
0005420346.tif 000006
【図６】
0005420346.tif 000007
【図７】
0005420346.tif 000008
【図８】
0005420346.tif 000009
【図９】
0005420346.tif 000010
【図１０】
0005420346.tif 000011
【図１１】
0005420346.tif 000012
【図１２】
0005420346.tif 000013
【図１３】
0005420346.tif 000014